(57)【要約】  サービス・プロバイダからブロードキャストされたコンテンツのスクランブル化された代替バージョンを閲覧するための携帯移動体通信装置（１００）を記載する。携帯移動体通信装置（１００）は、サービス・プロバイダ（２３５、２５０）からブロードキャストされたコンテンツを受信する受信器（１５４）を含む。携帯移動体通信装置（１００）のプロセッサ（１２０）は、サービス・プロバイダ（２３５、２５０）と通信する代替放送アプリケーション（１２５）を実行する。携帯移動体通信装置（１００）とサービス・プロバイダ（２３５、２５０）とは、ＰＩＮコードデータを交換し、該ＰＩＮコードが検証されると、携帯移動体通信装置（１００）が、サービス・プロバイダ（２３５、２５０）からブロードキャストされたコンテンツのスクランブル化された代替バージョンをデスクランブルするためのデコード用アルゴリズムを受信する。【選択図】図３
2009535895.tif 000002
【特許請求の範囲】
【請求項１】
携帯移動体通信装置上で、サービス・プロバイダからブロードキャストされたコンテンツのスクランブル化された代替バージョンを出力する方法であって、
前記サービス・プロバイダからブロードキャストされた前記コンテンツのスクランブル化された代替バージョンと関連づけられるＰＩＮコードを前記サービス・プロバイダから受信する工程（４３０）と、
前記サービス・プロバイダからデコード用アルゴリズムを取得するために前記ＰＩＮコードを前記サービス・プロバイダに返送する工程（４３５）と、
ブロードキャストされた前記コンテンツのスクランブル化された代替バージョンを前記携帯移動体通信装置がデスクランブルすることを可能とする前記デコード用アルゴリズムを前記サービス・プロバイダから受信する工程（４４０）と、
前記代替バージョンを前記携帯移動体通信装置上で出力できるようにするために、ブロードキャストされた前記コンテンツのスクランブル化された代替バージョンをデスクランブルする工程（４４５）と
を備えることを特徴とする方法。
【請求項２】
前記サービス・プロバイダが、ブロードキャストされたコンテンツの代替バージョンを提供するかどうかを決定する工程（４１５）をさらに備えることを特徴とする請求項１に記載の方法。
【請求項３】
前記ＰＩＮコードが有効であるかを検証する工程（４４０）をさらに備えることを特徴とする請求項２に記載の方法。
【請求項４】
前記ＰＩＮコードは前記サービス・プロバイダと前記携帯移動体通信装置との間で、ＳＭＳメッセージを介して交換されることを特徴とする請求項３に記載の方法。
【請求項５】
前記ＰＩＮコードは前記サービス・プロバイダと前記携帯移動体通信装置との間で、電子メールメッセージを介して交換されることを特徴とする請求項３に記載の方法。
【請求項６】
前記ＰＩＮコードは前記サービス・プロバイダと前記携帯移動体通信装置との間で、電話の呼を介して交換されることを特徴とする請求項３に記載の方法。
【請求項７】
前記サービス・プロバイダと前記携帯移動体通信装置との間のエアインタフェースを介した（ＯＴＡ）交換により、前記デコード用アルゴリズムを受信する工程をさらに備えることを特徴とする請求項１に記載の方法。
【請求項８】
ブロードキャストされたコンテンツのスクランブル化された代替バージョンと関連づけられるサービス・プロバイダからＰＩＮコードを受信する工程は、前記サービス・プロバイダへの資金提供の実行に依拠することを特徴とする請求項１に記載の方法。
【請求項９】
前記ブロードキャストされたコンテンツは、移動体テレビ番組であることを特徴とする請求項１に記載の方法。
【請求項１０】
前記ブロードキャストされたコンテンツは、デジタル音声番組であることを特徴とする請求項１に記載の方法。
【請求項１１】
携帯移動体通信装置上で、サービス・プロバイダからブロードキャストされたコンテンツのスクランブル化された代替バージョンを出力する方法であって、
ＰＩＮコードを、前記携帯移動体通信装置上に常駐している、ブロードキャストされた前記コンテンツのスクランブル化された代替バージョンをデスクランブルすることを可能とするアプリケーションに入力する工程（４３０）と、
前記携帯移動体通信装置上でブロードキャストされた前記コンテンツのスクランブル化された前記代替バージョンを出力できるようにするために、代替バージョンをデスクランブルする工程（４４５）と
を備えることを特徴とする方法。
【請求項１２】
携帯移動体通信装置上で、サービス・プロバイダからブロードキャストされたコンテンツのスクランブル化された代替バージョンを出力するための、コンピュータプログラムであって、
前記サービス・プロバイダからブロードキャストされた前記コンテンツのスクランブル化された代替バージョンと関連づけられるＰＩＮコードを前記サービス・プロバイダから受信する（４３０）コンピュータプログラムコードと、
前記サービス・プロバイダからデコード用アルゴリズムを取得するために前記ＰＩＮコードを前記サービス・プロバイダに返送する（４３５）コンピュータプログラムコードと、
ブロードキャストされた前記コンテンツのスクランブル化された代替バージョンを前記携帯移動体通信装置がデスクランブルすることを可能とする前記デコード用アルゴリズムを前記サービス・プロバイダから受信する（４４０）コンピュータプログラムコードと、
前記代替バージョンを前記携帯移動体通信装置上で出力できるようにするために、ブロードキャストされた前記コンテンツのスクランブル化された代替バージョンをデスクランブルする（４４５）コンピュータプログラムコードと
を備えることを特徴とするコンピュータプログラム。
【請求項１３】
前記サービス・プロバイダが、ブロードキャストされたコンテンツの代替バージョンを提供するかどうかを決定する（４１５）コンピュータプログラムコードをさらに備えることを特徴とする請求項１２に記載のコンピュータプログラム。
【請求項１４】
前記ＰＩＮコードが有効であるかを検証する（４４０）コンピュータプログラムコードをさらに備えることを特徴とする請求項１３に記載のコンピュータプログラム。
【請求項１５】
前記ＰＩＮコードを前記サービス・プロバイダと前記携帯移動体通信装置との間で、ＳＭＳメッセージを介して交換するコンピュータプログラムコードをさらに備えることを特徴とする請求項１４に記載のコンピュータプログラム。
【請求項１６】
前記ＰＩＮコードを前記サービス・プロバイダと前記携帯移動体通信装置との間で、電子メールメッセージを介して交換するコンピュータプログラムコードをさらに備えることを特徴とする請求項１４に記載のコンピュータプログラム。
【請求項１７】
前記サービス・プロバイダと前記携帯移動体通信装置との間のエアインタフェースを介した（ＯＴＡ）交換により、前記デコード用アルゴリズムを受信するコンピュータプログラムコードをさらに備えることを特徴とする請求項１２に記載のコンピュータプログラム。
【請求項１８】
ブロードキャストされたコンテンツのスクランブル化された代替バージョンと関連づけられるサービス・プロバイダからのＰＩＮコードの受信は、前記サービス・プロバイダへの資金提供の実行に依拠することを特徴とする請求項１２に記載のコンピュータプログラム。
【請求項１９】
前記ブロードキャストされたコンテンツは、移動体テレビ番組であることを特徴とする請求項１２に記載のコンピュータプログラム。
【請求項２０】
前記ブロードキャストされたコンテンツは、デジタル音声番組であることを特徴とする請求項１２に記載のコンピュータプログラム。
【請求項２１】
サービス・プロバイダからブロードキャストされたコンテンツのスクランブル化された代替バージョンを閲覧するための携帯移動体通信装置（１００）であって、
サービス・プロバイダ（２３５、２５０）からブロードキャストされたコンテンツを受信する受信器（１５４）と、
プロセッサ（１２０）により実行可能で、前記サービス・プロバイダ（２３５、２５０）と通信する代替放送アプリケーション（１２５）と
を備え、
前記携帯移動体通信装置（１００）と前記サービス・プロバイダ（２３５、２５０）とは、ＰＩＮコードデータを交換し、該ＰＩＮコードが検証されると、前記携帯移動体通信装置（１００）が、サービス・プロバイダ（２３５、２５０）からブロードキャストされたコンテンツのスクランブル化された代替バージョンをデスクランブルするためのデコード用アルゴリズムを受信する
ことを特徴とする携帯移動体通信装置。
【請求項２２】
前記ブロードキャストされたコンテンツは、移動体テレビ番組であることを特徴とする請求項２１に記載の携帯移動体通信装置。
【請求項２３】
前記ブロードキャストされたコンテンツは、デジタル音声番組であることを特徴とする請求項２１に記載の携帯移動体通信装置。
【発明の詳細な説明】
【技術分野】
【０００１】
本発明は放送局からの移動体テレビ放送信号の移動体装置の制御に関する。
【背景技術】
【０００２】
移動体電話機のような携帯移動体通信装置は、より高度化され、数多くの新しい機能や性能を含むようになった。そのような機能の一つに、ＤＶＢ−Ｈ（digital video broadcast-handheld）、ＤＭＢ(digital media broad cast)、ＩＳＤＢ−Ｔ(integrated services digital broadcast-terrestrial)、ＭＢＭＳ(mobile broadcast multi-cast service)あるいは、これらに類似する技術のような、移動体放送テレビ信号或いは移動体テレビ等の受信性能がある。これらの機能が移動体電話機に統合されると、上記の機能はＭＢＭＳを除いて独立の移動体テレビチューナーを利用することになる。ＭＢＭＳは、携帯移動体通信装置の既存の移動体無線送受信器を利用して受信できる。
【０００３】
そのような放送を受信することの利便性は、移動体ユーザにとって高いものである。放送局が放送費用を賄うために、視聴者／ユーザからの資金提供に依存しているような状況がある。例えば、ＰＢＳ（Public Broadcasting Service）は、資金を調達するために頻繁に資金提供要請を行っている。資金提供要請期間は、ＰＢＳに対する資金提供の勧誘のために通常の放送番組は頻繁に中断される。これはＰＢＳにとって不可欠で、効果的なツールであるかも知れないが、視聴者から見れば、既にお金を支払っている場合には非常に苛立たしいものとなりえる。
【発明の開示】
【発明が解決しようとする課題】
【０００４】
現在、上述のようなユーザのジレンマに対応した解決策は提供されていない。必要なのは、すでに資金提供した視聴者に対する資金提供の勧誘を含まないような、放送局からの代替的な放送フィードをユーザが受信することを可能とするメカニズムである。
【課題を解決するための手段】
【０００５】
本発明の実施形態によれば、携帯移動体通信装置は、サービス・プロバイダから提供されるスクランブル化された代替バージョンの移動体テレビ番組、または、デジタル音声放送（ＤＡＢ：digital audio broadcast）を視聴することができる。携帯移動体通信装置は、サービス・プロバイダからの放送波を受信する移動体テレビ受信器、または、ＤＡＢ受信器を含む。携帯移動体通信装置のプロセッサは、代替的な放送用アプリケーションを実行する。携帯移動体通信装置及びサービス・プロバイダはＰＩＮコードデータを交換し、該ＰＩＮコードが検証されると、携帯移動体通信装置は、サービス・プロバイダからの移動体テレビ番組またはデジタル音声放送のスクランブル化された代替バージョンをデスクランブルするためのデコード用アルゴリズムを受信する。
【０００６】
本発明の別の実施形態によれば、携帯移動体通信装置は、サービス・プロバイダから提供されるスクランブル化された代替バージョンの移動体テレビ番組、または、デジタル音声放送を視聴することができる。携帯移動体通信装置は、サービス・プロバイダからＰＩＮコードを受信し、該ＰＩＮコードはスクランブル化された代替バージョンの移動体テレビ番組、または、デジタル音声放送と関連づけられる。ＰＩＮコードは、デコード用アルゴリズムをサービス・プロバイダから取得するために該サービス・プロバイダに返される。ＰＩＮコードの検証に応じて、デコード用アルゴリズムをサービス・プロバイダから受信し、スクランブル化された代替バージョンの移動体テレビ番組、または、デジタル音声放送を携帯移動体通信装置がデスクランブルすることが可能となる。
【０００７】
さらなる実施形態では、ＰＩＮコードは、携帯移動体通信装置に既に常駐しているアルゴリズムをアンロックするための鍵の役割を果たす。この場合、ユーザはＰＩＮコードを代替放送アルゴリズムに入力し、もし有効であれば、既存のアルゴリズムがスクランブル化された代替バージョンの移動体テレビ番組、または、デジタル音声放送をデスクランブルすることができる。
【発明を実施するための最良の形態】
【０００８】
以下、発明の特定の実施形態を示す添付図面を参照して、発明の実施形態を詳細に説明する。なお、異なる構造や動作を有する他の実施形態も、本発明の範囲に含まれるものである。
【０００９】
当業者であれば理解するように、本発明は、方法、システム或いはコンピュータプログラムとして実施することができる。従って、本発明は、ここでは一般的に「回路」、「モジュール」或いは「システム」と呼ばれるような、完全なハードウェアの形態、完全なソフトウェアの形態（ファームウェア、常駐ソフトウェア、マイクロコード等を含む）、或いは、ソフトウェアとハードウェアとを結合した形態を有することができる。さらに、本発明はコンピュータで利用可能な記憶媒体に格納されたコンピュータプログラムの形態を有することができる。
【００１０】
どのようなコンピュータ可読媒体も、適切なものであれば利用することができる。コンピュータで利用可能な、或いは、コンピュータで読み取り可能な媒体は、例えば、電子的なもの、磁気的なもの、光学的なもの、電磁気的なもの、赤外線或いは半導体システム、装置、デバイス或いは伝送媒体を含むことができる。コンピュータ可読媒体のより詳細な例は（包括的なリストではないが）、以下のものを含む。即ち、１以上の配線を有する電気的接続、携帯コンピュータディスケット、ハードディスク、ＲＡＭ、ＲＯＭ、ＥＰＲＯＭ或いはフラッシュメモリ（登録商標）、光ファイバ、携帯ＣＤＲＯＭ、光学的ストレージデバイス、インターネットやイントラネットをサポートするような伝送媒体、或いは、磁気ストレージデバイスである。ここで、コンピュータで利用可能な媒体、或いは、コンピュータで読み取り可能な媒体は、紙や他のプログラムが印刷されるような適切な媒体を含んでもよい。というのは、例えば紙や他の媒体を光学的にスキャンすることにより、プログラムを電子的にキャプチャし、コンパイルして解釈したり、適切な方法で処理したりでき、もし必要であれば、コンピュータメモリに格納できるからである。本明細書の文脈では、コンピュータで利用可能な媒体、あるいは、コンピュータで読み取り可能な媒体は、命令実行システム、装置或いはデバイスによる利用のため、或いは、それらとの関連においてプログラムを含む、格納する、通信する、頒布する或いは転送するためのあらゆる媒体を含むことができる。
【００１１】
本発明の動作を実行するためのコンピュータ・プログラム・コードは、Ｊａｖａ(登録商標)、Ｓｍａｌｌｔａｌｋ、Ｃ＋＋等といった、オブジェクト指向プログラム言語で記述されていても良い。しかしながら、本発明の動作を実行するためのコンピュータプログラムコードは、Ｃ言語や類似のプログラミング言語のような従来の手続型プログラミング言語で記述されていても良い。プログラムコードは、ユーザのコンピュータで完全に実行されてもよいし、部分的にユーザのコンピュータでスタンドアロンソフトウェアパッケージとして実行されてもよいし、部分的にユーザのコンピュータで、部分的にリモートコンピュータで実行されてもよいし、或いは、すべてリモートコンピュータ或いはサーバで実行されてもよい。後者の場合、リモートコンピュータは、ユーザのコンピュータにローカル・エリア・ネットワーク（ＬＡＮ）やワイド・エリア・ネットワーク（ＷＡＮ）を介して接続されても良いし、或いは、（例えば、インターネット・サービス・プロバイダを利用してインターネットを介して）外部コンピュータに対して接続されても良い。
【００１２】
以下では、発明の実施形態に対応する方法、装置（システム）及びコンピュータプログラムの、フローチャートやブロック図を参照して本発明を説明する。フローチャートやブロック図の各ブロックや、フローチャートやブロック図のブロックの組合せは、コンピュータプログラム命令により実装することができる。これらのコンピュータプログラム命令は、コンピュータや他のプログラム可能なデータ処理装置のプロセッサを介して実行される命令により、フローチャート及びブロック図或いはブロックの少なくともいずれかにおいて特定される機能／動作を実装するための手段を生成するマシーンを生成するために、汎用コンピュータ、特定用途コンピュータ、他のプログラム可能なデータ処理装置のプロセッサに提供されてもよい。
【００１３】
これらのコンピュータプログラム命令は、コンピュータ可読メモリ内に格納されている命令が、フローチャート及びブロック図或いはブロックの少なくともいずれかにおいて特定される機能／動作を実装する命令手段を含む製品を生成するようにするために、コンピュータや他のプログラム可能なデータ処理装置を特定の方法において機能させるコンピュータ可読メモリ内に格納されていてもよい。
【００１４】
コンピュータプログラム命令は、コンピュータまたは他のプログラム可能なデータ処理装置にロードされ、コンピュータ実装処理を実現するために、コンピュータまたは他のプログラム可能なデータ処理装置において一連の動作ステップを実行する。これにより、コンピュータまたは他のプログラム可能なデータ処理装置において実行される命令が、フローチャート及びブロック図或いはブロックの少なくともいずれかにおいて特定される機能／動作を実装するための工程を提供する。
【００１５】
図１は、発明の実施形態に対応する典型的な移動体通信装置の構成を示すブロック図である。
【００１６】
図１の携帯移動体通信装置１００は、通話や他の通信を開始、実行するための動作といった携帯移動体通信装置１００の動作を制御するためのオペレータまたはユーザ用のインタフェース１１０を含むことができる。ユーザインタフェース１１０は、とりわけ、携帯移動体通信装置１００のステータスや動作に関する視覚信号を加入者あるいはユーザに提供するディスプレイ１１２を含むことができる。ディスプレイ１１２は、カラー画像を提示可能な液晶ディスプレイ（ＬＣＤ）などであってもよい。ディスプレイ１１２は、画像、テキスト、数字、文字、グラフィカル・ユーザ・インタフェース（ＧＵＩ）などの形態で、ユーザ或いはオペレータに対して情報を提供することができる。ディスプレイ１１２はまた、図３及び図４の方法３００及び４００のそれぞれに記述されるように、放送信号により実行されるプログラミングを提供するために利用されてもよい。
【００１７】
ユーザインタフェース１１２はまた、ジョイスティックのようなポインティングデバイスを含め、キーパッド及びファンクションキー或いはボタン１１４を含むことができる。キーパッド、ファンクションボタン及びジョイスティック１１４により、ユーザは、電話番号のダイヤル、通話の開始及び終了、移動体テレビプロバイダへアクセスするといった他の通信の確立、インターネット、或いは、電子メールやテキストメッセージなどの送受信を行うために、携帯移動体通信装置１００とコマンドを通信できる。キーパッド、ファンクションボタン及びポインティングデバイス１１４はまた、携帯移動体通信装置１００の他の動作を制御するために利用することができる。キーパッド、ファンクションボタン及びポインティングデバイス１１４はまた、接触入力を受け付けるように適合されたタッチパネルディスプレイ上に実装することもできる。
【００１８】
ディスプレイ１１２、キーパッド、ファンクションボタン１１４は、メインプロセッサ及びコントロールロジック部１２０と結合されても良い。プロセッサ及びコントロールロジック部１２０は、マイクロプロセッサなどであってもよい。メインプロセッサ及びコントロールロジック部１２０は、代替放送の受信を可能とするためにアプリケーション１２５を含んでいてもよく、また、ハードウェア、ファームウェア、ソフトウェア（データ構造）あるいはそれらの組合せにおいて実現されても良い。メインプロセッサ及びコントロールロジック部１２０はまた、通信手順及びここで記述される他の機能を実行する制御信号をエンコード、デコードするために、他のデータ構造、ソフトウェアプログラム、コンピュータアプリケーションなどを含んでいてもよい。
【００１９】
ユーザインタフェース１１０はまた、マイクロフォンとスピーカ１１６を含むことができる。マイクロフォン１１６は、音声信号や音響信号をユーザ或いは他の音源から受け付ける。マイクロフォン１１６は、音声信号や音響信号を電気信号に変換する。マイクロフォン１１６はメインプロセッサ及びコントロールロジック部１２０と接続され、メインプロセッサ及びコントロールロジック部１２０は、電気信号をベースバンド通信信号に変換することができる。メインプロセッサ及びコントロールロジック部１２０は、移動体無線送受信器１３０に接続され、該移動体無線送受信器１３０は、メインプロセッサ及びコントロールロジック部１２０からのベースバンド信号を無線周波数（ＲＦ）信号に変換する。移動体無線送受信器１３０は、ＲＦ信号を、移動体無線アクセス・ネットワーク（ＭＲＡＮ）等の通信媒体やシステムに送信するためにアンテナアセンブリ１４０に接続されていてもよい。移動体無線送受信器１３０は、ＭＢＭＳ標準に従った移動体テレビ放送を受信することができる。この場合、ＭＲＡＮは移動体テレビサービス・プロバイダとして動作する。
【００２０】
アンテナアセンブリ１４０は、ＲＦ信号をエアインタフェースを介し（ＯＴＡ）により受信し、ＲＦ信号を無線受信器１３０に転送する。無線受信器１３０はＲＦ信号をベースバンド信号に変換する。ベースバンド信号は、メインプロセッサ及びコントロールロジック部１２０に提供され、該ベースバンド信号が電気信号に変換される。メインプロセッサ及びコントロールロジック部１２０は、電気信号をスピーカ１１６に送信して、スピーカ１１６が電気信号をユーザが聞き取り可能な音声信号に変換する。
【００２１】
携帯移動体通信装置１００は、移動体テレビまたはデジタル音声放送（ＤＡＢ）装置１５０を含むことができる。移動体テレビの側面における装置１５０は、ＤＶＢ−Ｈタイプの装置であっても良い。移動体テレビまたはＤＡＢ装置１５０は、移動体通信装置１００の一部として統合的に構成されてもよいし、あるいは、携帯移動体通信装置１００と接続し、関連して動作する独立のユニットであってもよい。移動体テレビ装置あるいはＤＡＢ１５０は、プログラミングの放送信号を移動体テレビ放送ネットワーク、ブロードキャスト無線アクセス・ネットワーク（Ｂ−ＲＡＮ）、ＤＡＢネットワークなどから受信するためのアンテナアセンブリ１５２を含むことができる。受信器１５４は、放送信号を受信するためにアンテナアセンブリ１５２と結合されてもよい。信号処理部１５６は、放送信号を受信器１５４から受信し、放送信号をディスプレイ１１２に表示するための形式、或いは、携帯移動体通信装置１００のスピーカ１１６を介して出力するための形式に変換する。あるいは、信号処理部１５６は、放送信号を受信器１３０から受信し、放送信号をディスプレイ１１２に表示するための形式、或いは、携帯移動体通信装置１００スピーカ１１６を介して出力するための形式に変換する。
【００２２】
図２は発明の実施形態に対応する移動体テレビ番組の代替放送を提供、受信するための典型的なシステムの構成を示すブロック図である。システム２００は、デジタル・ビデオ・ブロードキャスト・ハンドヘルド（ＤＶＤ−Ｈ）、デジタル・メディア・ブロードキャスト（ＤＭＢ）、統合サービス・デジタル・ブロードキャスト・テレストリアル（ＩＳＤＢ−Ｔ）、移動体ブロードキャスト・マルチキャスト・サービス（ＭＢＭＳ）或いは、他の類似の技術であってもよい。移動体電話機に統合される場合、上記の技術は、ＭＢＭＳを除いて独立の移動体テレビチューナを利用することになる。
【００２３】
ＭＢＭＳを利用した放送の場合、移動体無線アクセスネットワーク（Ｍ−ＲＡＮ）２１０及びネットワークのタワー２１５は、移動体テレビサービス・プロバイダとして動作する。Ｍ−ＲＡＮ２１０は、適用可能であれば、放送番組の代替バージョンを含む放送されるべき番組を含むコンテンツ・データベース２２５と結合された放送アプリケーション・サーバ２２０を含む。
【００２４】
ＭＢＭＳ以外のシステムを利用する放送の場合、汎用放送無線アクセス・ネットワーク（Ｂ−ＲＡＮ）２３０が、移動体テレビ（ＤＶＢ−Ｈ、ＤＭＢ、ＩＳＤＢ−Ｔ等）放送信号を発信して、携帯移動体通信装置１００や移動体テレビ装置１５０のような通信装置や移動体テレビ装置に放送を行う。Ｂ−ＲＡＮ２３０は、放送信号を送信するための送信器を含むことができる。
【００２５】
Ｂ−ＲＡＮ２３０は、移動体テレビ・サービス・プロバイダ２３５に接続されても良い。移動体テレビ・サービス・プロバイダ２３５は、Ｂ−ＲＡＮ２３０を介して携帯移動体通信装置１００や移動体テレビ装置１５０に放送を行うためにプログラミングを始動することができる。移動体テレビ・サービス・プロバイダ２３５は、放送アプリケーション・サーバ２４０を含むことができる。放送アプリケーション・サーバ２４０は、適用可能であれば、放送番組の代替バージョンを含むブロードキャストされるべき番組を含むコンテンツ・データベース２４５と結合される。
【００２６】
さらに、デジタル音声放送（ＤＡＢ）サービス・プロバイダ２５０は、放送アプリケーション・サーバ２５５と、実質的にＢ−ＲＡＮ２３０との関連で記述したのと同様の方法において動作するコンテンツ・データベース２６０を含むことができる。
【００２７】
図３は、本来の放送が資金調達行為のために頻繁に中断される場合に代替放送を移動体テレビ或いはＤＡＢサービス・プロバイダから取得するための方法のフローチャートである。
【００２８】
移動体電話機のような携帯移動体通信装置を利用する視聴者が、資金調達行為により頻繁に中断される放送にチャンネルを合わせた場合を考える。視聴者は、放送業者のポジションを評価し、放送業者をサポートするために資金提供しようと決心する（３１０）。資金提供に応じて、視聴者は資金調達のための残りの期間について中断されない放送を受信できると願う。放送業者は資金を受け取り、加入者情報及び携帯移動通信装置の識別子を検証した後、資金提供の確認応答をＰＩＮコードと共に、例えばＳＭＳメッセージを利用して、携帯移動体通信装置に返すことができる（３２０）。ＰＩＮコードの目的は、携帯移動体通信装置で、移動体テレビ又はＤＡＢサービス・プロバイダからの代替並行放送をデスクランブルすることを許可するデコード用アルゴリズムを、視聴者が放送業者から取得するのを可能にすることである。代替並行放送は、資金調達行為により中断されることがない。
【００２９】
視聴者がＰＩＮコードを受け取ると、視聴者は、携帯移動体通信装置で実行されている代替放送アプリケーションにそれを入力することができる（３３０）。代替放送アプリケーションは、ＳＭＳ、電子メール、指定された電話番号への音声呼、或いは、代替放送のデスクランブル用アルゴリズムを取得するための類似の方法といった指定の形式で、ＰＩＮコードを移動体テレビ或いはＤＡＢサービス・プロバイダに戻すことができる（３４０）。デスクランブル用アルゴリズムは、エアインタフェースを介して（ＯＴＡ：over-the-air）により携帯移動体通信装置に送信され、代替放送アプリケーションは、それを到来する代替放送のデータストリームに適用する（３５０）。視聴者は、これにより、資金調達行為による更なる中断に耐える必要もなく代替放送を視聴することができる（３５０）。
【００３０】
代替的な実施形態では、テレビ番組又はデジタル音声放送の代替バージョンのためのアルゴリズムまたは暗号化スキームが、携帯移動体通信装置内に既に常駐している。この場合、ユーザはＰＩＮコードを代替放送アプリケーション３３０に入力する。ここでは、アルゴリズムがすでに携帯移動体通信装置内に常駐しているので、その結果として、ＰＩＮコードは、サービス・プロバイダからアルゴリズムを受信する必要なく、代替放送を直接アンロックするか、あるいは暗号を解凍するための鍵として機能する。
【００３１】
図４は、発明の実施形態に対応する代替放送を提供するための別の方法のフローチャートである。代替バージョンの番組が要求される他の状況もあるかもしれない。例えば、いくつかの放送番組が検閲済のバージョンと未検閲のバージョンとの両方を有するかも知れない。これは、テレビ放送される映画の場合、あるいは、ＨＢＯの番組の“セックス・アンド・ザ・シティ”や“ソプラノ”のように、本来はケーブルテレビ放送局で放送されるように番組が組まれているものにしばしば起こり得る。同様に、いくつかの音声放送は検閲されても良く、また、代替放送をリスナーに提供してもよい。
【００３２】
これらの状況において、視聴者は携帯移動体通信装置において視聴する番組を選択する（４１０）。代替放送アプリケーションは、移動体テレビまたはＤＡＢサービス・プロバイダと通信し、移動体テレビサービスやＤＡＢプロバイダが、非検閲バージョン、或いは、コマーシャル無しのバージョンの所望の放送を提供するかどうかを決定することができる（４１５）。もし、所望の番組の代替放送が存在しない場合、ユーザは通常通り元々の放送を視聴することになる（４２０）。
【００３３】
もし、放送の代替バージョンが利用可能な場合、携帯移動体通信装置はユーザに、所望の番組の代替放送の視聴を希望するかどうか問い合わせる。もし、回答が否定的な場合には、ユーザは本来の放送を通常通り視聴することになる（４２０）。
【００３４】
もし回答が肯定的な場合、ユーザは携帯移動体通信装置で実行されている代替放送アプリケーションに入力すべきＰＩＮコードを催促される（４３０）。ＰＩＮコードは代替放送アプリケーションによって、所定の方法で移動体テレビ或いはＤＡＢサービス・プロバイダに送信されることになる。当該方法には、ＳＭＳ、電子メール、電話番号への音声呼を含むことができる。移動体テレビまたはＤＡＢサービス・プロバイダは、ＰＩＮコードを検証し、要求している携帯移動体通信装置の加入者情報の履歴とＰＩＮコードを関連づける。もしＰＩＮコードが当該要求について有効であれば、移動体テレビまたはＤＡＢサービス・プロバイダは、デスクランブル用アルゴリズムをエアインタフェースを介して（或いは他の方法で）、携帯移動体通信装置に送信する（４４０）。携帯移動体通信装置では、代替放送アプリケーションが、デスクランブル用アルゴリズムを到来する代替放送のデータストリームに適用する（４４５）。
【００３５】
他の実施形態では、テレビ番組やデジタル音声放送の代替バージョンのためのアルゴリズムや暗号化スキームが、携帯移動体通信装置内に常駐している。この場合、ユーザはＰＩＮコードを代替放送アプリケーション４３０に入力する。
ここでは、アルゴリズムがすでに携帯移動体通信装置内に常駐しているので、その結果として、ＰＩＮコードは、サービス・プロバイダからアルゴリズムを受信する必要なく、代替放送を直接アンロックするか、あるいは暗号を解凍するための鍵として機能する。
【００３６】
本発明に関連するどのようなプロンプトも、インタラクティブ音声機能や、携帯移動体通信装置などのディスプレイ上で提供されるグラフィカル・ユーザ・インタフェース（ＧＵＩ）を介して、提供、応答することができる。
【００３７】
図に示したフローチャートやブロック図は、発明の様々な実施形態に対応するシステム、方法及びコンピュータプログラムの可能と考えられる実装における構造、機能、動作を示す。この点につき、フローチャートまたはブロック図における各ブロックは、特定のロジック機能を実装するための１つ以上の実行可能な命令を含むモジュール、セグメント或いはコードの一部を示すことができる。いくつかの代替的な実装形態では、各ブロックが表す機能は、図に示した順序とは異なって実行されてもよい。例えば、２つのブロックが連続して示されていた場合に、実際には、それらが実質的に同時に実行されてもよいし、或いは、場合によっては逆順序において実行されてもよい。これらは、そこに含まれる機能に依存して決定される。また、ブロック図及びフローチャートの少なくともいずれかにおける各ブロック、及び、ブロック図及びフローチャートの少なくともいずれかにおけるブロックの結合は、特定の機能や動作、或いは特定用途ハードウェア及びコンピュータ命令の結合を実現する、特定用途のハードウェアベースシステムにより実装することができる。
【００３８】
本書面において使用される用語は、特定の実施形態を説明する目的でのみ用いられるものであって、本発明を限定する意図は存在しない。本書面で使用する場合、単数形の表現は、複数形式のものも同様に含むことが意図されている。但し、文脈において複数形式を明らかに除外している場合にはその限りではない。また、「備える（"comprising"又は"comprise"）」の語は、記載された特徴、数値、工程、動作、要素、及びコンポーネントの少なくともいずれかの存在を表す一方で、１以上の他の特徴、数値、工程、動作、要素、コンポーネント及びそれらの組合せの少なくともいずれかの存在又は追加を排除するものではない。
【００３９】
本書面では特定の実施形態を図示し記述したが、同一目的を達成すると考えられるどのような構成も、提示した特定の実施形態の代わりに用いることができ、発明が、他の環境において他のアプリケーションを有することを、当業者であれば理解する。本願では、本発明のあらゆる適応、変更も包含するように意図している。特許請求の範囲に記載の請求項は、発明の範囲を本書面で記載した特定の実施形態に限定することを意図したものでは全くない。
【図面の簡単な説明】
【００４０】
【図１】発明の実施形態に対応する典型的な携帯移動体通信装置を示すブロック図である。
【図２】発明の実施形態に対応する典型的なシステムを示すブロック図である。
【図３】発明の実施形態に対応する代替放送を提供するための方法のフローチャートである。
【図４】発明の実施形態に対応する代替放送を提供するための他の方法のフローチャートである。
【図１】
2009535895.tif 000003
【図２】
2009535895.tif 000004
【図３】
2009535895.tif 000005
【図４】
2009535895.tif 000006
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
携帯移動体通信装置上で、サービス・プロバイダからブロードキャストされたコンテンツのスクランブル化された代替バージョンを出力する方法であって、
前記サービス・プロバイダからブロードキャストされた前記コンテンツのスクランブル化された代替バージョンと関連づけられるＰＩＮコードを前記サービス・プロバイダから受信する工程（４３０）と、
前記サービス・プロバイダからデコード用アルゴリズムを取得するために前記ＰＩＮコードを前記サービス・プロバイダに返送する工程（４３５）と、
ブロードキャストされた前記コンテンツのスクランブル化された代替バージョンを前記携帯移動体通信装置がデスクランブルすることを可能とする前記デコード用アルゴリズムを前記サービス・プロバイダから受信する工程（４４０）と、
前記代替バージョンを前記携帯移動体通信装置上で出力できるようにするために、ブロードキャストされた前記コンテンツのスクランブル化された代替バージョンをデスクランブルする工程（４４５）と
を備えることを特徴とする方法。
【請求項２】
前記サービス・プロバイダが、ブロードキャストされたコンテンツの代替バージョンを提供するかどうかを決定する工程（４１５）をさらに備えることを特徴とする請求項１に記載の方法。
【請求項３】
前記ＰＩＮコードが有効であるかを検証する工程（４４０）をさらに備えることを特徴とする請求項２に記載の方法。
【請求項４】
前記ＰＩＮコードは前記サービス・プロバイダと前記携帯移動体通信装置との間で、ＳＭＳメッセージを介して交換されることを特徴とする請求項３に記載の方法。
【請求項５】
前記ＰＩＮコードは前記サービス・プロバイダと前記携帯移動体通信装置との間で、電子メールメッセージを介して交換されることを特徴とする請求項３に記載の方法。
【請求項６】
前記ＰＩＮコードは前記サービス・プロバイダと前記携帯移動体通信装置との間で、電話の呼を介して交換されることを特徴とする請求項３に記載の方法。
【請求項７】
前記サービス・プロバイダと前記携帯移動体通信装置との間のエアインタフェースを介した（ＯＴＡ）交換により、前記デコード用アルゴリズムを受信する工程をさらに備えることを特徴とする請求項１に記載の方法。
【請求項８】
ブロードキャストされたコンテンツのスクランブル化された代替バージョンと関連づけられるサービス・プロバイダからＰＩＮコードを受信する工程は、前記サービス・プロバイダへの資金提供の実行に依拠することを特徴とする請求項１に記載の方法。
【請求項９】
前記ブロードキャストされたコンテンツは、移動体テレビ番組であることを特徴とする請求項１に記載の方法。
【請求項１０】
前記ブロードキャストされたコンテンツは、デジタル音声番組であることを特徴とする請求項１に記載の方法。
【請求項１１】
携帯移動体通信装置上で、サービス・プロバイダからブロードキャストされたコンテンツのスクランブル化された代替バージョンを出力する方法であって、
ＰＩＮコードを、前記携帯移動体通信装置上に常駐している、ブロードキャストされた前記コンテンツのスクランブル化された代替バージョンをデスクランブルすることを可能とするアプリケーションに入力する工程（４３０）であって、該アプリケーションは、前記携帯移動体通信装置からのＰＩＮコードの受信に応じて前記サービス・プロバイダから受信したアプリケーションである工程と、
前記携帯移動体通信装置上でブロードキャストされた前記コンテンツのスクランブル化された前記代替バージョンを出力できるようにするために、代替バージョンをデスクランブルする工程（４４５）と
を備えることを特徴とする方法。
【請求項１２】
携帯移動体通信装置上で、サービス・プロバイダからブロードキャストされたコンテンツのスクランブル化された代替バージョンを出力するための、コンピュータプログラムであって、
前記サービス・プロバイダからブロードキャストされた前記コンテンツのスクランブル化された代替バージョンと関連づけられるＰＩＮコードを前記サービス・プロバイダから受信する（４３０）コンピュータプログラムコードと、
前記サービス・プロバイダからデコード用アルゴリズムを取得するために前記ＰＩＮコードを前記サービス・プロバイダに返送する（４３５）コンピュータプログラムコードと、
ブロードキャストされた前記コンテンツのスクランブル化された代替バージョンを前記携帯移動体通信装置がデスクランブルすることを可能とする前記デコード用アルゴリズムを前記サービス・プロバイダから受信する（４４０）コンピュータプログラムコードと、
前記代替バージョンを前記携帯移動体通信装置上で出力できるようにするために、ブロードキャストされた前記コンテンツのスクランブル化された代替バージョンをデスクランブルする（４４５）コンピュータプログラムコードと
を備えることを特徴とするコンピュータプログラム。
【請求項１３】
前記サービス・プロバイダが、ブロードキャストされたコンテンツの代替バージョンを提供するかどうかを決定する（４１５）コンピュータプログラムコードをさらに備えることを特徴とする請求項１２に記載のコンピュータプログラム。
【請求項１４】
前記ＰＩＮコードが有効であるかを検証する（４４０）コンピュータプログラムコードをさらに備えることを特徴とする請求項１３に記載のコンピュータプログラム。
【請求項１５】
前記ＰＩＮコードを前記サービス・プロバイダと前記携帯移動体通信装置との間で、ＳＭＳメッセージを介して交換するコンピュータプログラムコードをさらに備えることを特徴とする請求項１４に記載のコンピュータプログラム。
【請求項１６】
前記ＰＩＮコードを前記サービス・プロバイダと前記携帯移動体通信装置との間で、電子メールメッセージを介して交換するコンピュータプログラムコードをさらに備えることを特徴とする請求項１４に記載のコンピュータプログラム。
【請求項１７】
前記サービス・プロバイダと前記携帯移動体通信装置との間のエアインタフェースを介した（ＯＴＡ）交換により、前記デコード用アルゴリズムを受信するコンピュータプログラムコードをさらに備えることを特徴とする請求項１２に記載のコンピュータプログラム。
【請求項１８】
ブロードキャストされたコンテンツのスクランブル化された代替バージョンと関連づけられるサービス・プロバイダからのＰＩＮコードの受信は、前記サービス・プロバイダへの資金提供の実行に依拠することを特徴とする請求項１２に記載のコンピュータプログラム。
【請求項１９】
前記ブロードキャストされたコンテンツは、移動体テレビ番組であることを特徴とする請求項１２に記載のコンピュータプログラム。
【請求項２０】
前記ブロードキャストされたコンテンツは、デジタル音声番組であることを特徴とする請求項１２に記載のコンピュータプログラム。
【請求項２１】
サービス・プロバイダからブロードキャストされたコンテンツのスクランブル化された代替バージョンを閲覧するための携帯移動体通信装置（１００）であって、
サービス・プロバイダ（２３５、２５０）からブロードキャストされたコンテンツを受信する受信器（１５４）と、
プロセッサ（１２０）により実行可能で、前記サービス・プロバイダ（２３５、２５０）と通信する代替放送アプリケーション（１２５）と
を備え、
前記携帯移動体通信装置（１００）と前記サービス・プロバイダ（２３５、２５０）とは、ＰＩＮコードデータを交換し、該ＰＩＮコードが検証されると、前記携帯移動体通信装置（１００）が、サービス・プロバイダ（２３５、２５０）からブロードキャストされたコンテンツのスクランブル化された代替バージョンをデスクランブルするためのデコード用アルゴリズムを受信する
ことを特徴とする携帯移動体通信装置。
【請求項２２】
前記ブロードキャストされたコンテンツは、移動体テレビ番組であることを特徴とする請求項２１に記載の携帯移動体通信装置。
【請求項２３】
前記ブロードキャストされたコンテンツは、デジタル音声番組であることを特徴とする請求項２１に記載の携帯移動体通信装置。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
携帯移動体通信装置上で、サービス・プロバイダからブロードキャストされたコンテンツのスクランブル化された代替バージョンを出力する方法であって、
前記サービス・プロバイダからブロードキャストされた前記コンテンツのスクランブル化された代替バージョンと関連づけられるＰＩＮコードを前記サービス・プロバイダから受信する工程（４３０）と、
前記サービス・プロバイダからデコード用アルゴリズムを取得するために前記ＰＩＮコードを前記サービス・プロバイダに返送する工程（４３５）と、
ブロードキャストされた前記コンテンツのスクランブル化された代替バージョンを前記携帯移動体通信装置がデスクランブルすることを可能とする前記デコード用アルゴリズムを前記サービス・プロバイダから受信する工程（４４０）と、
前記代替バージョンを前記携帯移動体通信装置上で出力できるようにするために、ブロードキャストされた前記コンテンツのスクランブル化された代替バージョンをデスクランブルする工程（４４５）と
を備えることを特徴とする方法。
【請求項２】
前記サービス・プロバイダが、ブロードキャストされたコンテンツの代替バージョンを提供するかどうかを決定する工程（４１５）をさらに備えることを特徴とする請求項１に記載の方法。
【請求項３】
前記ＰＩＮコードが有効であるかを検証する工程（４４０）をさらに備えることを特徴とする請求項２に記載の方法。
【請求項４】
前記ＰＩＮコードは前記サービス・プロバイダと前記携帯移動体通信装置との間で、ＳＭＳメッセージを介して交換されることを特徴とする請求項３に記載の方法。
【請求項５】
前記ＰＩＮコードは前記サービス・プロバイダと前記携帯移動体通信装置との間で、電子メールメッセージを介して交換されることを特徴とする請求項３に記載の方法。
【請求項６】
前記ＰＩＮコードは前記サービス・プロバイダと前記携帯移動体通信装置との間で、電話の呼を介して交換されることを特徴とする請求項３に記載の方法。
【請求項７】
前記サービス・プロバイダと前記携帯移動体通信装置との間のエアインタフェースを介した（ＯＴＡ）交換により、前記デコード用アルゴリズムを受信する工程をさらに備えることを特徴とする請求項１に記載の方法。
【請求項８】
ブロードキャストされたコンテンツのスクランブル化された代替バージョンと関連づけられるサービス・プロバイダからＰＩＮコードを受信する工程は、前記サービス・プロバイダへの出資の実行に依拠することを特徴とする請求項１に記載の方法。
【請求項９】
携帯移動体通信装置上で、サービス・プロバイダからブロードキャストされたコンテンツのスクランブル化された代替バージョンを出力する方法であって、
ＰＩＮコードを、前記携帯移動体通信装置上に常駐している、ブロードキャストされた前記コンテンツのスクランブル化された代替バージョンをデスクランブルすることを可能とするアプリケーションに入力する工程（４３０）であって、該アプリケーションは、前記携帯移動体通信装置からのＰＩＮコードの受信に応じて前記サービス・プロバイダから受信したアプリケーションである工程と、
前記携帯移動体通信装置上でブロードキャストされた前記コンテンツのスクランブル化された前記代替バージョンを出力できるようにするために、代替バージョンをデスクランブルする工程（４４５）と
を備えることを特徴とする方法。
【請求項１０】
サービス・プロバイダからブロードキャストされたコンテンツのスクランブル化された代替バージョンを閲覧するための携帯移動体通信装置（１００）であって、
サービス・プロバイダ（２３５、２５０）からブロードキャストされたコンテンツを受信する受信器（１５４）と、
プロセッサ（１２０）により実行可能で、前記サービス・プロバイダ（２３５、２５０）と通信する代替放送アプリケーション（１２５）と
を備え、
前記携帯移動体通信装置（１００）と前記サービス・プロバイダ（２３５、２５０）とは、ＰＩＮコードデータを交換し、該ＰＩＮコードが検証されると、前記携帯移動体通信装置（１００）が、サービス・プロバイダ（２３５、２５０）からブロードキャストされたコンテンツのスクランブル化された代替バージョンをデスクランブルするためのデコード用アルゴリズムを受信する
ことを特徴とする携帯移動体通信装置。
【手続補正２】
【補正対象書類名】明細書
【補正対象項目名】００３６
【補正方法】変更
【補正の内容】
【００３６】
本発明に関連するどのようなプロンプトも、インタラクティブ音声機能や、携帯移動体通信装置などのディスプレイ上で提供されるグラフィカル・ユーザ・インタフェース（ＧＵＩ）を介して、提供、応答することができる。本発明の実施形態によれば、ブロードキャストされたコンテンツは、移動体テレビ番組であってもよい。また、ブロードキャストされたコンテンツは、デジタル音声番組であってもよい。
発明の実施形態によれば、携帯移動体通信装置上で、サービス・プロバイダからブロードキャストされたコンテンツのスクランブル化された代替バージョンを出力するための、コンピュータプログラムであって、前記サービス・プロバイダからブロードキャストされた前記コンテンツのスクランブル化された代替バージョンと関連づけられるＰＩＮコードを前記サービス・プロバイダから受信する（４３０）コンピュータプログラムコードと、前記サービス・プロバイダからデコード用アルゴリズムを取得するために前記ＰＩＮコードを前記サービス・プロバイダに返送する（４３５）コンピュータプログラムコードと、ブロードキャストされた前記コンテンツのスクランブル化された代替バージョンを前記携帯移動体通信装置がデスクランブルすることを可能とする前記デコード用アルゴリズムを前記サービス・プロバイダから受信する（４４０）コンピュータプログラムコードと、前記代替バージョンを前記携帯移動体通信装置上で出力できるようにするために、ブロードキャストされた前記コンテンツのスクランブル化された代替バージョンをデスクランブルする（４４５）コンピュータプログラムコードとを備えることができる。
さらに、発明の実施形態によれば、コンピュータプログラムは、サービス・プロバイダが、ブロードキャストされたコンテンツの代替バージョンを提供するかどうかを決定する（４１５）コンピュータプログラムコードをさらに備えてもよい。コンピュータプログラムは、ＰＩＮコードが有効であるかを検証する（４４０）コンピュータプログラムコードをさらに備えてもよい。コンピュータプログラムは、ＰＩＮコードを前記サービス・プロバイダと携帯移動体通信装置との間で、ＳＭＳメッセージを介して交換するコンピュータプログラムコードをさらに備えてもよい。コンピュータプログラムは、ＰＩＮコードをサービス・プロバイダと携帯移動体通信装置との間で、電子メールメッセージを介して交換するコンピュータプログラムコードをさらに備えてもよい。コンピュータプログラムは、サービス・プロバイダと携帯移動体通信装置との間のエアインタフェースを介した（ＯＴＡ）交換により、前記デコード用アルゴリズムを受信するコンピュータプログラムコードをさらに備えてもよい。コンピュータプログラムにおいては、ブロードキャストされたコンテンツのスクランブル化された代替バージョンと関連づけられるサービス・プロバイダからのＰＩＮコードの受信は、前記サービス・プロバイダへの出資の実行に依拠することができる。コンピュータプログラムにおいて、ブロードキャストされたコンテンツは、移動体テレビ番組である。コンピュータプログラムにおいて、ブロードキャストされたコンテンツは、デジタル音声番組である。
【国際調査報告】
2009535895.tif 000007
2009535895.tif 000008
2009535895.tif 000009